(57)【要約】【課題】  額縁のフレーム材の材質に関係なく使用できるとともに、新規に製造すべき部品の点数が少なく、また簡単に取り付けられる上、不測の脱落もないような額縁用裏板押え具の提供。【解決手段】  額縁１１のフレーム材１４の裏面に取り付けられ、額縁１１の内側に収められた裏板１２を押える額縁用裏板押え具１３であって、可撓性を有する材料からなる板状の本体部１５を設けるとともに、該本体部１５を、その基端部１６を上記フレーム材１４の裏面内に収めた時に先端部１７が上記裏板１２側へ突出する長さに形成するとともに、上記基端部１６から先端部１７にかけて、これらの中間部が高くなるアーチ形に湾曲形成し、上記本体部１５の幅方向の中間部に、基端部１６側から先端部１７側にかけて延びる取り付け用の長孔１８を形成した額縁用裏板押え具１３。【選択図】    図１
2005253551.tif 000002
【特許請求の範囲】
【請求項１】
額縁のフレーム材の裏面に取り付けられ、額縁の内側に収められた裏板を押える額縁用裏板押え具であって、
可撓性を有する材料からなる板状の本体部を設けるとともに、
該本体部を、その基端部を上記フレーム材の裏面内に収めた時に先端部が上記裏板側へ突出する長さに形成するとともに、
上記基端部から先端部にかけて、これらの中間部が高くなるアーチ形に湾曲形成し、
上記本体部の幅方向の中間部に、基端部側から先端部側にかけて延びる取り付け用の長孔を形成した
額縁用裏板押え具。
【請求項２】
前記本体部の先端縁に、上方へ立ち上がる立ち上がり片を立設した
請求項１に記載の額縁用裏板押え具。
【請求項３】
前記立ち上がり片を、本体部の先端部における幅方向両側縁に延設した
請求項２に記載の額縁用裏板押え具。
【請求項４】
前記本体部の先端部における幅方向の両角部分に、円弧状のアール部を形成した
請求項1から請求項３のうちのいずれか一項に記載の額縁用裏板押え具。
【発明の詳細な説明】
【技術分野】
【０００１】
この発明は、額縁の内側に収められた裏板を押えるための額縁用裏板押え具に関する。
【背景技術】
【０００２】
額縁用裏板押え具としては、これまで一般的に、図７に示したようなものが使用されてきた。
【０００３】
この額縁用押え具１０１は、トンボと称され、合成樹脂や金属で形成された略長円形板状のもので、その基端部を額縁１０２のフレーム材１０３に対して木ねじ１０４で回転可能に固定される。また、先端部の裏板１０５に当たる面には、裏板１０５に対する押圧力を高めるために突起１０６が形成されている。
【０００４】
しかしこの額縁用裏板押え具１０１では、回転操作がし難い、収納物の厚みの変化に対応できない、という不都合がある上に、額縁用押え具１０１の回転に伴い、図７に示したように、裏板１０５における上記突起１０６が当たる部分に、筋状の傷１０７が付くという難点があった。
【０００５】
このような回転によらないで押える額縁用裏板押え（下記特許文献１参照）が、提案されている。
【０００６】
この額縁用裏板押え具は、押し出し成形させたアルミ製フレーム材からなる額縁に用いるものであるが、アーチ型をなすプラスチック製のスライド掛止片が利用されている。すなわち、フレーム材の裏面の蟻溝に差し込んで取り付ける基部体を設け、該基部体の上端の腰部に、上記スライド掛止片を内外へ出し入れ可能に保持するという構成である。
【０００７】
スライド掛止片をフレーム材の外側へ引き出せば裏板押えを解除でき、スライド掛止片をフレーム材の内側へ押込めば裏板押えを実行できる。
【０００８】
しかし、この額縁用裏板押え具は、所定形状に形成される２つの合成樹脂製部材、すなわち基部体とスライド掛止片を必要とし、新規に製造すべき部品の点数が多い上に、アルミ製のフレーム材に対してしか使用できない。
【０００９】
しかも、基部体の腰部に保持孔を設けて、この保持孔に対してスライド掛止片を保持する構成であるので、出し入れ操作時にスライド掛止片が不測に脱落しないように、先端の左右両側に突起状の脱出止め用の角部を突設する必要がある。
【００１０】
この角部の存在のため、基部体に対するスライド掛止片の組み付けが難しく、組み付けを簡単にしようと角部の突出長さを短くすれば、角部の目的を達成できず、引き出し時に不測に脱落してしまうおそれがあった。一度外れてしまうと組み付けはなかなか難しい上に、再び不測の脱落が起こる可能性が高くなる。
【００１１】
【特許文献１】特許第２８６６３０４号公報
【発明の開示】
【発明が解決しようとする課題】
【００１２】
そこでこの発明は、額縁のフレームの材質に関係なく使用できるとともに、新規に製造すべき部品の点数が少なく、また簡単に取り付けられる上、不測の脱落もないような額縁用裏板押え具の提供を主たる課題とする。
【課題を解決するための手段】
【００１３】
そのための手段は、額縁のフレーム材の裏面に取り付けられ、額縁の内側に収められた裏板を押える額縁用裏板押え具であって、可撓性を有する材料からなる板状の本体部を設けるとともに、該本体部を、その基端部を上記フレーム材の裏面内に収めた時に先端部が上記裏板側へ突出する長さに形成するとともに、上記基端部から先端部にかけて、これらの中間部が高くなるアーチ形に湾曲形成し、上記本体部の幅方向の中間部に、基端部側から先端部側にかけて延びる取り付け用の長孔を形成した額縁用裏板押え具であることを特徴とする。
【００１４】
すなわち、この額縁用裏板押え具は、額縁のフレーム材の裏面に対して、ねじやリベット等の適宜の取り付け部材を本体部の長孔に差し込んで取り付けられる。取り付け部材には、長孔が相対摺動するための隙間を確保できるスペーサ部を有した段付きねじやリベットであるのが好ましい。
【００１５】
使用に当たっては、額縁用裏板押え具を摺動し、フレーム材の外側に引きして、本体部の先端部を裏板収納位置から後退させることで、裏板等の出し入れを可能にできる。そして裏板押え具をフレーム材の内側に向けて押込むことで、本体部の先端部を裏板側へ突出させて、収められた裏板を押えることができる。押えは、可撓性を有する本体部のアーチ形により、弾力的に行える。
【００１６】
上記本体部の先端縁には、上方へ立ち上がる立ち上がり片を立設するとよい。立ち上がり片を、出し入れのための摺動操作時に摘みとして利用できる上に、本体部の先端縁の剛性を高め、強固な押圧ができる。
【００１７】
またこの場合、上記立ち上がり片を、本体部の先端部における幅方向両側縁に延設するとよい。本体部の先端部の剛性をさらに高めることができ、より強固な押圧ができる。
【００１８】
上記本体部の先端部における幅方向の両角部分には、円弧状のアール部を形成するとよい。アール部の形成で角を円弧状に形成することで、裏板に対する当たりが柔らかくなって、摺動操作時の確実な傷付き防止効果を得られる。また、本体部の先端縁に立ち上がり片を立設した場合には、立ち上がり片の存在との相乗効果により、本体部の先端部の剛性をさらに一層高められる。
【発明の効果】
【００１９】
以上のようにこの発明によれば、可撓性を有するアーチ形をなす板状の本体部のみで構成しており、取り付けに際しては、ねじやリベットなどの適宜取り付け部材を本体部に形成した長孔に通して行えばよい。つまり、額縁用裏板押え具は、ひとつの部材からなり、適宜の取り付け部材で取り付けできる。
【００２０】
このため、額縁のフレームの材質や構造にあわせて、取り付け部材を適宜選定すれば、額縁のフレームの材質に関係なく使用できる。
【００２１】
また、額縁用裏板押え具はひとつの部材からなるので、従来からあったトンボのように、新規に製造すべき部品の点数が少なく、コストを低減し、組み付けの手間を無くせるという利点を有する。
【００２２】
さらに、長孔を利用して簡単に取り付けられるので便利であるとともに、長孔を介して取り付けることで、別途に抜け止め用の構成を設ける必要もなく、出し入れ操作時の脱落防止が確実にできる。
【発明を実施するための最良の形態】
【００２３】
この発明を実施するための一形態を、以下図面を用いて説明する。  
図１は、額縁１１の裏面を示す平面図であり、この図に示すように、額縁１１は、その裏面に裏板１２を収納しており、該裏板１２を選択的に押える額縁用裏板押え具１３（以下、押え具という）が取り付けられている。
【００２４】
上記額縁１１は、木又は合成樹脂からなるフレーム材１４を組んで形成される。
【００２５】
そして上記押え具１３は、フレーム材１４の裏面に取り付けられ、額縁１１内に収めた裏板１２を押える位置と、裏板１２に対する押えを解除する位置とに変位するものである。すなわち、内外方向に摺動移動する。
【００２６】
図２、図３は、押え具１３の形状を示す。図２中、（ａ）は平面図、（ｂ）は正面図、（ｃ）はＡ−Ａ断面図、図３中、（ａ）は底面図、（ｂ）は右側面図、（ｃ）は左側面図である。
【００２７】
すなわち押え具１３は、例えばジュラコン等の、可撓性を有する合成樹脂製で、アーチ形をなす板状の本体部１５からなる。
【００２８】
本体部１５は、その基端部１６をフレーム材１４の裏面内に収めた時に先端部１７が上記裏板１２側へ突出する長さに（図１参照）形成されるとともに、基端部１６から先端部１７にかけては、これらの中間部が高くなるアーチ形に湾曲形成されている。
【００２９】
そしてアーチ形をなす本体部１５の幅方向の中間部には、基端部１６側から先端部１７側にかけて延びる取り付け用の長孔１８を形成している。
【００３０】
長孔１８の長さは、図１に示したように押え具１３の基端部１６をフレーム材１４の外周面より内側に収めた位置から、押え具１３の先端部１７をフレーム材１４の内周面より内側に収めた位置まで摺動可能な長さに設定されている。
【００３１】
この長孔１８には、取り付け部材としてのねじ部材１９が相対摺動可能に挿通される。
【００３２】
そして、ねじ部材１９と長孔１８との位置関係を規制するため、長孔１８の内側面には２組の突部２０，２０，２１，２１を形成している。一組の突部２０，２０は、押え具１３を内側に押込んだときにその位置関係を規制するもので、他の一組の突部２１，２１は、押え具１３を外側に引き出したときにその位置関係を規制するものである。
【００３３】
また、上記本体部１５の基端部１６は、平面視半円弧状に形成され、一方、先端部１７には、幅方向の両角部分に円弧状のアール部２２，２２が形成されるとともに、これらアール部２２，２２の間に直線部２３を形成した形状である。
【００３４】
そして、本体部１５の先端縁に、上方へ立ち上がる立ち上がり片２４を一体に立設している。この立ち上がり片２４を、上記直線部２３とアール部２２，２２とに形成し、立ち上がり片２４を全体として本体部１５の先端部１７における幅方向の両側縁まで延設した状態にしている。
【００３５】
以上のような構成の押え具１３は、フレーム材１４裏面の適宜位置にねじ部材１９を用いて、図４に示したように取り付けて使用される。なお、取り付けに用いる上記ねじ部材１９には、ねじ部１９ａと頭部１９ｂとの間に、長孔１８と相対摺動可能な短円柱状の段部１９ｃを有した段付きのねじ部材１９を用いるのがよい。
【００３６】
押え具１３の長孔１８に段付きのねじ部材１９を挿通し、フレーム材１４に対して取り付ければ、押え具１３はねじ部材１９の頭部１９ｂに抜け止めされた状態で、図４に仮想線で示したように、フレーム材１４の内外方向に摺動可能となる。
【００３７】
すなわち図５に示したように、額縁１１内に表面材２５、展示物２６、裏板１２を収納したのち、押え具１３を内側に押込めば、押え具１３はその可撓性で弾性変位しつつ、先端部１７で裏板１２を押圧する。この押圧は、裏板１２の高さ、すなわち収納物の厚みにかかわりなく良好に行える。
【００３８】
このときに、押え具１３の先端部１７は、アール部２２，２２と直線部１３とを有する形状であるとともに、先端部１７における幅方向両側縁にまで延設した立ち上がり片２４を有するのでの、その剛性は高く、撓みにくい。このため、アーチ形をなす本体部１５の弾性変位による押圧をより強固に行える。
【００３９】
しかも、上記立ち上がり片２４は、押え具１３を摺動操作する時に指先を引っ掛けるつまみの役割も果たすので、摺動操作は容易に行える。
【００４０】
裏板１２を押えた状態を解除するには、押え具１３をフレーム材１４の外側に向けて摺動して、先端部１７を裏板１２に掛かる位置から外せばよい。
【００４１】
長孔１８には、ねじ部材１９との位置関係を規制するため、２組の突部２０，２０，２１，２１を形成しており、押え具１３を内側に押込んだ位置と、押え具１３を外側に引き出した位置とに規制できるようにしたので、押え具１３を内側に押込んだ位置を規制しておけば、振動等で押え具１３が不測に移動して、裏板１２に対する押えが解除されてしまうようなことを防止できる。また押え具１３を外側に引き出した時には、その引き出した状態を維持できるので、不用意に額縁１１を傾けてしまったりした時でも押え具が摺動して内側へ入ってしまうようなことを防止でき、裏板１２等の収納物の出し入れ操作が煩雑になることを防げる。
【００４２】
このように、押え具１３はひとつの部材からなるので、従来からあったトンボのように、新規に製造すべき部品の点数が少ない。このため、コストを低減し、組み付けの手間を無くすことができる。
【００４３】
また、取り付けに際しては、ねじ部材１９を螺合するだけでよいので、簡単であるとともに、額縁１１のフレーム材１４の材質や構造にあわせて、取り付け部材を適宜選定すれば、額縁１１のフレーム材１４の材質に関係なく使用できる。
【００４４】
例えばアルミ製のフレーム材１４の場合には、ねじ部材による固定もできるが、図６に示したように、段付きのリベット２７で固定するのが好ましい。リベット２７を取り付ける部分を溝で形成すれば、押え具１３をフレーム材１４の長さ方向に位置移動させることも可能になる。図中２７ａは、段部である。
【００４５】
さらに、長孔１８を利用し、ねじ部材１９等の取り付け部材を用いて取り付けたので、ねじ部材１９の頭部１９ｂが抜け止めの構成となり、別途に抜け止め用の構成を設けずとも、確実な脱落防止を図れる。
【００４６】
さらにまた、アーチ形をなし可撓性を有する本体部１５の先端部１７に、アール部２２，２２を形成するとともに、立ち上がり部２４を形成したので、先端部１７の剛性が高くなり、強固な固定状態を得ることができる。
【００４７】
そして、押えの実行・解除動作は直線方向の摺動で行われるので、回転動作で押えの実行・解除を行う場合と異なり、押え具１３の端縁等が裏板１２に対して小さな接触面積で当たって傷がつくというような不都合を確実に防止できる。
【００４８】
なお、上記一形態の構成はこの発明を実施するための一例であって、この発明は上記構成のみに限定されるものではない。  
例えば押え具１３を合成樹脂ではなく、金属製の板ばねで形成するもよい。
【図面の簡単な説明】
【００４９】
【図１】額縁の裏面を示す平面図。
【図２】額縁用押え具の形状を示す説明図。
【図３】額縁用押え具の形状を示す説明図。
【図４】額縁用押え具の取り付け状態を示す断面図。
【図５】作用状態の断面図。
【図６】他の取り付け状態の断面図。
【図７】従来技術の説明図。
【符号の説明】
【００５０】
１１…額縁
１２…裏板
１３…額縁用裏板押え具
１４…フレーム材
１５…本体部
１６…基端部
１７…先端部
１８…長孔
２２…アール部
２４…立ち上がり片
【図１】
2005253551.tif 000003
【図２】
2005253551.tif 000004
【図３】
2005253551.tif 000005
【図４】
2005253551.tif 000006
【図５】
2005253551.tif 000007
【図６】
2005253551.tif 000008
【図７】
2005253551.tif 000009